(57)【要約】【課題】  尾錠を用いずに、簡単な構造で、バンドの屈曲変形が少なく、全体の厚みが厚くならず、ワンタッチ操作でバンドを着脱できるバンド止め具を提供する。【解決手段】  柔軟性を有する一方側の時計バンド２が取り付けられるカバー部材４と、このカバー部材４に回動可能に取り付けられると共に、他端部側に時計バンド２、３の厚みとほぼ同じ高さの折曲部５ｃが設けられた第１連結板５と、この第１連結板５に回動可能に取り付けられた第２連結板６と、この第２連結板６に設けられて他方側の時計バンド３を固定する固定ピン１６および突起ピン２０と、カバー部材４と第２連結板６とを係脱可能にロックするロック部材７とを備えている。従って、時計バンド２、３の急激な折曲変形がなく、全体の厚みを薄くできるほか、尾錠を用いていないので、構造が簡単で、部品点数も少なく、ワンタッチ操作で容易に腕時計バンド２、３を着脱できる。【選択図】        図５
2007089617.tif 000002
【特許請求の範囲】
【請求項１】
柔軟性を有するバンドの一端部が取り付けられるカバー部材と、
このカバー部材に一端部が回動可能に取り付けられると共に、その他端部側に前記バンドの厚みとほぼ同じ高さの折曲部が設けられた第１連結部材と、
この第１連結部材における前記折曲部側の前記他端部に回動可能に取り付けられた第２連結部材と、
前記第１連結部材に対面する前記第２連結部材の上面側に前記バンドの他端部側を固定する複数の固定突起部と、
前記カバー部材、前記第１連結部材、および前記第２連結部材を重ねた状態で前記カバー部材と前記第２連結部材とを係脱可能にロックするロック部材と、
を備えたことを特徴とするバンド止め具。
【請求項２】
前記第１連結部材の前記他端部側に設けられた前記折曲部に対応する箇所には、前記バンドの前記他端部側における先端部が挿入するバンド挿入孔が設けられていることを特徴とする請求項１に記載のバンド止め具。
【請求項３】
前記バンドの前記他端部側には、前記固定突起部が挿入する複数のバンド取付孔が前記バンドの長手方向に沿って所定間隔で設けられていることを特徴とする請求項１または２に記載のバンド止め具。
【請求項４】
前記ロック部材は、前記第２連結部材の上面に設けられた突起部と、前記第１連結部材に設けられて前記突起部が挿入する挿入孔と、前記カバー部材に設けられて前記挿入孔を通して突出した前記突起部の先端部を係脱可能に係止される係止部とを備えていることを特徴とする請求項１〜３のいずれかに記載のバンド止め具。
【請求項５】
前記ロック部材の前記突起部は、前記固定突起部と共に前記バンドの前記複数のバンド取付孔のいずれかに挿入することを特徴とする請求項４に記載のバンド止め具。
【発明の詳細な説明】
【技術分野】
【０００１】
この発明は、天然皮革、合成皮革、布などの柔軟性を有するバンドに用いられるバンド止め具に関し、さらに詳しくはバンドの両端部を係脱可能に連結する三つ折りタイプのバンド止め具に関する。
【背景技術】
【０００２】
例えば、腕時計を腕に取り付けるための時計バンドにおいては、金属製のバンドや、皮革などの柔軟性を有するバンドなどがある。金属製の時計バンドは、腕とバンドとの温度差によって装着時に違和感が生じるが、この金属製の時計バンドに用いられるバンド止め具は、三つ折りタイプのものが一般的に用いられ、ワンタッチ操作で着脱できるようになっている。また、皮革などの柔軟性を有する時計バンドは、腕に対する装着性は良いが、これに用いられるバンド止め具は、尾錠を用いているのが一般的であるため、着脱操作性が悪い。
【０００３】
そこで、このような問題を解消するため、従来、柔軟性を有する時計バンドに用いられるバンド止め具としては、特許文献１に記載されているように、金属製の中間板の両端に観音開きの第１、第２開閉板を回動可能に取り付け、第１開閉板の端部に時計バンドの一端部を取り付け、第２開閉板の端部に時計バンドの尾錠を取り付け、この尾錠によって時計バンドの他端部を第２開閉板に取り付けるようにした三つ折りタイプのものがある。
【特許文献１】実願平８−１２６４号
【０００４】
このようなバンド止め具では、中間板の両端に取り付けられた第１、第２開閉板を開いて時計バンドの輪を広げ、この時計バンドの輪に手首を挿入させて腕に嵌め込み、この状態で第１、第２開閉板を閉じて中間板に重ねると、時計バンドの輪が小さくなって、時計バンドを締め付けると共に、中間板に設けられた掛止爪が、第１、第２開閉板にそれぞれ設けられた掛止孔に掛止され、これにより時計バンドを腕に取り付けるように構成されている。
【発明の開示】
【発明が解決しようとする課題】
【０００５】
しかしながら、このような従来のバンド止め具においては、金属製の時計バンドに用いられる三つ折りタイプのバンド止め具と同様、ワンタッチ操作で簡単に着脱することができても、尾錠を用いているため、時計バンドが尾錠の箇所で折れ曲がり、この折れ曲がりによって時計バンドが傷み易いばかりか、金属製の時計バンドに用いられる三つ折りタイプのバンド止め具に比べて、部品点数が多くなり、構造も複雑で、生産コストが高くなるという問題がある。
【０００６】
特に、このような従来のバンド止め具では、第１、第２開閉板を閉じて中間板に重ね合わせて腕に取り付けたときに、中間板に第１、第２開閉板が重なると共に、これら第１、第２開閉板上に時計バンドの各端部同士が更に重なり合い、この状態で第２開閉板に設けられた尾錠が第１開閉板と時計バンドとの連結部分の上方に突出するため、止め具全体の厚みが厚くなり、しかも尾錠が第１開閉板と時計バンドとの連結部分の上方に突出するため、使用時に尾錠が物に引っ掛かり易いという問題もある。
【０００７】
この発明が解決しようとする課題は、尾錠を用いずに、簡単な構造で、バンドの折曲変形が少なく、全体の厚みが厚くならず、ワンタッチ操作で容易にバンドを着脱できるバンド止め具を提供することである。
【課題を解決するための手段】
【０００８】
この発明は、上記課題を解決するために、次のような構成要素を備えている。
なお、各構成要素には、後述する実施形態の項で説明される各要素に付されている図面の参照番号などを括弧と共に付す。
【０００９】
請求項１に記載の発明は、図１〜図５に示すように、柔軟性を有するバンド（時計バンド２、３）の一端部（時計バンド２の先端部２ａ）が取り付けられるカバー部材（４）と、このカバー部材に一端部（５ａ）が回動可能に取り付けられると共に、その他端部（５ｂ）側に前記バンドの厚みとほぼ同じ高さの折曲部（５ｃ）が設けられた第１連結部材（第１連結板５）と、この第１連結部材における前記折曲部の前記他端部（５ｂ）に回動可能に取り付けられた第２連結部材（第２連結板６）と、前記第１連結部材に対面する前記第２連結部材の上面側に前記バンド（時計バンド２、３）の他端部側（時計バンド３の先端部３ａ側）を固定する複数の固定突起部（固定ピン１６および突起ピン２０）と、前記カバー部材、前記第１連結部材、および前記第２連結部材を重ねた状態で前記カバー部材と前記第２連結部材とを係脱可能にロックするロック部材（７）とを備えたことを特徴とするバンド止め具である。
【００１０】
請求項２に記載の発明は、図１〜図５に示すように、前記第１連結部材（第１連結板５）の前記他端部（５ｂ）側に設けられた前記折曲部（５ｃ）に対応する箇所に、前記バンド（時計バンド２、３）の前記他端部側（時計バンド３の先端部３ａ側）における先端部（３ａ）が挿入するバンド挿入孔（１４）が設けられていることを特徴とする請求項１に記載のバンド止め具。
【００１１】
請求項３に記載の発明は、図１〜図５に示すように、前記バンド（時計バンド２、３）の前記他端部側（時計バンド３の先端部３ａ側）に、前記固定突起部（固定ピン１６および突起ピン２０）が挿入する複数のバンド取付孔（１７）が前記バンドの長手方向に沿って所定間隔で設けられていることを特徴とする請求項１または２に記載のバンド止め具である。
【００１２】
請求項４に記載の発明は、図１〜図５に示すように、前記ロック部材（７）が、前記第２連結部材（第２連結板６）の上面に設けられた突起部（突起ピン２０）と、前記第１連結部材（第１連結板５）に設けられて前記突起部が挿入する挿入孔（ピン挿入孔２１）と、前記カバー部材に設けられて前記挿入孔を通して突出した前記突起部の先端部を係脱可能に係止される係止部（一対の係止片２２）とを備えていることを特徴とする請求項１〜３のいずれかに記載のバンド止め具である。
【００１３】
請求項５に記載の発明は、図１〜図５に示すように、前記ロック部材（７）の前記突起部（突起ピン２０）が、前記固定突起部（固定ピン１６）と共に前記バンド（時計バンド３）の前記複数のバンド取付孔（１７）のいずれかに挿入することを特徴とする請求項４に記載のバンド止め具。
【発明の効果】
【００１４】
請求項１に記載の発明によれば、柔軟性を有するバンドの一端部が取り付けられるカバー部材と、このカバー部材に一端部が回動可能に取り付けられると共に、その他端部側にバンドの厚みとほぼ同じ高さの折曲部が設けられた第１連結部材と、この第１連結部材における折曲部の他端部に回動可能に取り付けられた第２連結部材と、第１連結部材に対面する第２連結部材の上面側にバンドの他端部側を固定する複数の固定突起部と、カバー部材、第１連結部材、および第２連結部材を重ねた状態でカバー部材と第２連結部材とを係脱可能にロックするロック部材とを備えているので、カバー部材、第１連結部材、および第２連結部材を重ねたときに、カバー部材と第１連結部材との間、および第１連結部材と第２連結部材との間にそれぞれバンドの各端部側を挟んだ状態で重ねることができる。
【００１５】
すなわち、第１連結部材の他端部側にバンドの厚みとほぼ同じ高さの折曲部が設けられているので、カバー部材、第１連結部材、および第２連結部材を重ねたときに、第１連結部材と第２連結部材との間にバンドの他端部側をほとんど折曲変形させずに挟むことができ、これにより全体の厚みを薄くすることができると共に、バンドが急激な折曲変形をしないため、バンドが痛まないようにすることができ、バンドの耐久性を高めることができるほか、従来例のような尾錠を用いていないため、構造が簡単で、部品点数も少なく、ワンタッチ操作で容易にバンドを着脱することができる。
【００１６】
請求項２に記載の発明によれば、第１連結部材の他端部側に設けられた折曲部に対応する箇所に、バンドの他端部側における先端部が挿入するバンド挿入孔が設けられていることにより、バンドの他端部側の長さが長くても、その先端部を折曲部に対応する箇所のバンド挿入孔に挿入させることができる。このため、第１、第２連結部材の連結部分によってバンドの他端部側が急激な折曲変形をせず、第１連結部材と第２連結部材との間に良好に挟み込むことができる。これにより、バンドの他端部側が長くても短くても、全体の厚みが厚くならず、バンドの他端部側を第２連結部材に確実に且つ良好に取り付けることができる。
【００１７】
請求項３に記載の発明によれば、バンドの他端部側に固定突起部が挿入する複数のバンド取付孔がバンドの長手方向に沿って所定間隔で設けられていることにより、この複数のバンド取付孔に対する固定突起部の挿入箇所を変更することができ、これによりバンド全体の長さを簡単に調節することができ、これによっても使い勝手の良いものを得ることができる。
【００１８】
請求項４に記載の発明によれば、ロック部材が、第２連結部材の上面に設けられた突起部と、第１連結部材に設けられて突起部が挿入する挿入孔と、カバー部材に設けられて挿入孔を通して突出した突起部の先端部を係脱可能に係止する係止部とを備えていることにより、カバー部材、第１連結部材、および第２連結部材を重ねたときに、第２連結部材の突起部が第１連結部材の挿入孔を通して突出し、この突出した突起部の先端部をカバー部材の係止部が係止するので、カバー部材、第１連結部材、および第２連結部材を重ねた状態で、カバー部材と第２連結部材とを簡単に且つ確実にロックすることができる共に、突起部と係止部との係合力に抗してカバー部材の先端部を持ち上げることにより、容易に突起部と係止部とによるロックを解除することができる。
【００１９】
請求項５に記載の発明によれば、ロック部材の突起部が、固定突起部と共にバンドの複数のバンド取付孔のいずれかに挿入することにより、カバー部材と第２連結部材とを係脱可能にロックするロック部材の突起部によっても、バンドの他端部側を第２連結部材に取り付けることができる。このため、ロック部材の突起部が、カバー部材と第２連結部材とをロックするロック機能と、バンドの他端部側を第２連結部材に取り付けるバンドの取付機能との両方の機能を兼ね備えているので、これによっても部品点数を削減することができる。
【発明を実施するための最良の形態】
【００２０】
以下、図１〜図５を参照して、この発明のバンド止め具を時計バンドに適用した一実施形態について説明する。
図１はこの発明のバンド止め具を開いた状態の正面図、図２は図１のＡ−Ａ矢視における断面図、図３は図２のバンド止め具を閉じた状態の断面図、図４は図２のバンド止め具に時計バンドを取り付けた状態の断面図、図５は図４のバンド止め具を閉じた状態の断面図である。
【００２１】
このバンド止め具１は、図４および図５に示すように、皮革、合成皮革、布などの柔軟性を有する時計バンド２、３の各端部を連結して時計バンド２、３を腕に締め付けて取り付けためのるものであり、一方の時計バンド２の先端部２ａが取り付けられるカバー部材４と、このカバー部材４に回動可能に取り付けられる第１連結板５と、この第１連結板５に回動可能に取り付けられて他方の時計バンド３の先端部３ａ側が取り付けられる第２連結板６と、カバー部材４、第１連結板５、および第２連結板６が重なった状態でカバー部材４と第２連結板６とを係脱可能にロックするロック部材７とを備えている。
【００２２】
この場合、時計バンド２、３のうち、一方の時計バンド２は、図４および図５に示すように、腕時計ケース（図示せず）の１２時側に取り付けられており、他方の時計バンド３は、腕時計ケースの６時側に取り付けられている。そして、これら時計バンド２、３は、両者とも同じ幅で、且つ同じ厚みで形成されており、その各先端部２ａ、３ａ側がバンド止め具１によって連結され、この状態で腕時計ケースを腕に取り付けるときに、バンド止め具１によって腕に締め付けられることにより、腕に取り付けられるように構成されている。
【００２３】
一方、バンド止め具１のカバー部材４は、図１〜図３に示すように、緩やかに湾曲した帯板状の金属板からなり、この金属板の幅方向（図１では上下方向）における両側部を、時計バンド２、３の厚みとほぼ同じ高さで下側に向けて折り曲げることにより、時計バンド２、３のうち、１２時側の時計バンド２の幅とほぼ同じ幅で、断面コ字状に形成され、これによりその内部に時計バンド２の先端部２ａ側が挿入するように構成されている。また、このカバー部材４の一端部４ａ内（図１では右端部内）における両側部には、互いに対向する複数のピン取付孔８がカバー部材４の長手方向に沿って所定間隔で設けられている。
【００２４】
この複数のピン取付孔８のうち、互いに対向する１組のピン取付孔８、例えば最外端部側（図４では最右端側）に位置する１組のピン取付孔８には、図４および図５に示すように、１２時側の時計バンド２の先端部２ａに取り付けられたばね棒９の両端部が挿入して取り付けられるように構成されている。これにより、カバー部材４の一端部４ａ内には、図４および図５に示すように、１２時側の時計バンド２の先端部２ａがばね棒９によって回動可能に取り付けられている。
【００２５】
このカバー部材４の他端部４ｂ内（図１では左端部内）には、図２および図３に示すように、第１連結板５の一端部５ａ（図２では右端部）が取付ピン１０によって回動可能に取り付けられている。すなわち、この第１連結板５は、図１〜図３に示すように、カバー部材４と同様、緩やかに湾曲したほぼ帯板状に形成され、その一端部５ａに連結ピン１０が挿入する筒部１１が形成され、この筒部１１内に連結ピン１０が挿入され、この挿入された連結ピン１０によってカバー部材４の他端部４ｂ内に第１連結板５の一端部５ａが回動可能に取り付けられ、これにより連結ピン１０を中心に上下方向に回動するように構成されている。
【００２６】
また、この第１連結板５の他端部５ｂ（図２では左端部）は、時計バンド２、３の幅よりも少し広く形成されていると共に、６時側の時計バンド３の厚みに対応する高さで折曲部５ｃが、図３において下側に向けてほぼ直角に折り曲げられた構成になっている。この第１連結板５の他端部５ｂにおける折曲部５ｃには、図１〜図５に示すように、６時側の時計バンド３の先端部３ａが挿入するバンド挿入孔１４が、折曲部５ｃの両側に亘って設けられている。
【００２７】
すなわち、このバンド挿入孔１４は、図１に示すように、第１連結板５の幅方向（図１では上下方向）の長さが６時側の時計バンド３の幅とほぼ同じで、第１連結板５の長手方向（図１では左右方向）の長さが６時側の時計バンド３の厚みよりも十分に長く形成され、これにより時計バンド３の先端部３ａが容易に挿入する長方形状に形成されている。また、この第１連結板５の他端部５ｂの先端部、つまり折曲部５ｃ側の先端部には、図１〜図３示すように、連結ピン１２が挿入する一対の筒部１３が同軸上で互いに離れた状態で形成されている。
【００２８】
この第１連結板５の他端部５ａにおける一対の筒部１３には、図１〜図３に示すように、第２連結板６の一端部６ａ（図２では右端部）が連結ピン１２によって回動可能に取り付けられている。すなわち、この第２連結板６は、カバー部材４および第１連結板５と同様、緩やかに湾曲した帯板状に形成され、その一端部６ａに第１連結板５の一対の筒部１３間に配置されて連結ピン１２が挿入する筒部１５が形成され、この筒部１５が連結ピン１２によって第１連結板５の他端部５ｂに回動可能に取り付けられ、これにより連結ピン１２を中心に上下方向に回動するように構成されている。
【００２９】
また、この第２連結板６の上面には、図４に示すように、６時側の時計バンド３を固定するための固定ピン１６が設けられている。この固定ピン１６は、その高さが６時側の時計バンド３の厚みとほぼ同じか、それよりも少し低く形成されている。そして、６時側の時計バンド３の先端部３ａ側には、図４に示すように、固定ピン１６が挿入する複数（この実施形態では4個）のバンド取付孔１７が時計バンド３の長手方向に沿って所定間隔で設けられている。
【００３０】
従って、この６時側の時計バンド３は、図４に示すように、複数のバンド取付孔１７のいずれかに固定ピン１６が挿入することにより、６時側の時計バンド３の先端部３ａを第１連結板５のバンド挿入孔１４内に挿入させた状態で、第２連結板６上に固定されるように構成されている。この場合、第１連結板５には、第２連結板６と重なったときに、固定ピン１６の上部を逃がすための逃がし孔１８が設けられている。
【００３１】
ところで、カバー部材４と第２連結板６とをロックするロック部材７は、図１〜図５に示すように、第２連結板６の上面に設けられた突起ピン２０と、第１連結板５に設けられて突起ピン２０が挿入するピン挿入孔２１と、カバー部材４に設けられてピン挿入孔２１を通して突出した突起ピン２０の先端部２０ａ側を係脱可能に係止する一対の係止片２２とを備えている。
【００３２】
この場合、突起ピン２０は、図２および図３に示すように、先端部２０ａが円板の外周面をテーパ状に形成したほぼ円錐形状または半球形状に形成され、この先端部２０ａの下側に小径の首部２０ｂが形成された構成になっている。また、この突起ピン２０は、図４および図５に示すように、６時側の時計バンド３の厚みよりも長く形成され、その先端部２０ａおよび首部２０ｂが６時側の時計バンド３に設けられた複数のバンド取付孔１７のいずれかを通して上方に突出すると共に、この突出した先端部２０ａが図５に示すように第１連結板５のピン挿入孔２１に挿入して上方に突出するように構成されている。
【００３３】
また、一対の係止片２２は、図１に示すように、カバー部材４内の両側部に互いに対向して設けられた一対の平板からなり、図３および図５に示すように、第１連結板５のピン挿入孔２１を通して上方に突出した第２連結板６の突起ピン２０における先端部２０ａの首部２０ｂを係脱可能に挟んで係止することにより、カバー部材４、第１連結板５、および第２連結板６を重ねた状態で、カバー部材４と第２連結板６とをロックするように構成されている。
【００３４】
また、このロック部材７は、図３および図５に示すように、突起ピン２０の先端部２０ａの首部２０ｂに対する一対の係止片２２の挟み付けによる係合力に抗して、カバー部材４の他端部４ｂ、つまり第１連結板５の連結側に位置するカバー部材４の他端部４ｂを持ち上げることにより、突起ピン２０に対する一対の係止片２２の挟み付けによるロックが解除されるように構成されている。
【００３５】
この場合、突起ピン２０は、図４に示すように、６時側の時計バンド３に設けられた複数のバンド取付孔１７のいずれかに挿入することにより、これによっても６時側の時計バンド３を固定ピン１６と共に第２連結板６上に固定する。また、この突起ピン１８と固定ピン１６とは、６時側の時計バンド３にその長手方向に沿って所定間隔で設けられた複数のバンド取付孔１７の各間隔と同じ間隔で第２連結板６上に設けられている。
【００３６】
従って、この突起ピン１８と固定ピン１６とは、図４に示すように、６時側の時計バンド３における複数のバンド取付孔１７のうち、互いに隣接するいずれか２つのバンド取付孔１７にそれぞれ挿入して６時側の時計バンド３を第２連結板６上に固定するが、挿入するバンド取付孔１７の位置を変更することにより、時計バンド２、３全体のバンド長を調整するように構成されている。
【００３７】
次に、このバンド止め具１の作用について説明する。
予め、図４に示すように、カバー部材４の一端部４ａ（図４では右端部）に１２時側の時計バンド２の先端部２ａをばね棒９によって取り付ける。このときには、ばね棒９の両端部をカバー部材４の一端部４ａ内における両側部に互いに対向して設けられた複数のピン取付孔８のうち、互いに対向するいずれかのピン取付孔８、例えば最外端部側（図４では最右端側）に位置する１組のピン取付孔８に挿入させて取り付ける。
【００３８】
また、第２連結板６の上面には、図４に示すように、６時側の時計バンド３を固定ピン１６およびロック部材７の突起ピン２０によって取り付ける。このときには、６時側の時計バンド３にその長手方向に沿って所定間隔で設けられた複数のバンド取付孔１７のうち、互いに隣接するいずれか２つのバンド取付孔１７に固定ピン１６およびロック部材７の突起ピン２０を挿入させて６時側の時計バンド３を第２連結板６上に固定する。また、このときには、図４に示すように、６時側の時計バンド３の先端部３ａを第１連結板５のバンド挿入孔１４に挿入する。
【００３９】
この状態で、時計バンド２、３を腕に取り付ける際には、まず、図４に示すように、第１連結板５の一端部５ａを中心に第１連結板５を回動させてカバー部材４の左斜め下側に向けて開くと共に、第２連結板６の一端部６ａを中心に第２連結板６を回動させて第１連結板５の側方（図４では左側）に向けて開く。これにより、図４に示すように、時計バンド２、３全体の輪がバンド止め具１によって大きくなり、この状態で手首を通して腕に嵌め込むことができる。
【００４０】
そして、第１連結板５の一端部５ａを中心に第１連結板５を上記とは逆方向に回動させてカバー部材４の下面に向けて閉じると共に、第２連結板６の一端部６ａを中心に第２連結板６を上記とは逆方向に回動させて第１連結板５の下側に向けて閉じる。すると、図５に示すように、カバー部材４の下側に第１連結板５が１２時側の時計バンド２の一端部２ａを挟んで重なると共に、この第１連結板５の下側に第２連結板６が６時側の時計バンド３を挟んで重なる。
【００４１】
これにより、時計バンド２、３が腕に締め付けられて、腕時計ケース（図示せず）を腕に取り付けることができる。このときには、第２連結板６の上面に設けられたロック部材７の突起ピン２０が６時側の時計バンド３のバンド取付孔１７を通して、その時計バンド３の上方に突出すると共に、この突出した突起ピン２０の先端部２０ａが第１連結板５のピン挿入孔２１に挿入してその上方に突出するので、この上方に突出した突起ピン２０における先端部２０ａの首部２０ｂがカバー部材４の一対の係止片２２間に挟まれて係止される。これにより、カバー部材４、第１連結板５、および第２連結板６が重なった状態で、カバー部材４と第２連結板６とがロック部材７によってロックされる。
【００４２】
このように、このバンド止め具１では、皮革などの柔軟性を有する時計バンド２、３のうち、１２時側の時計バンド２の先端部２ａが取り付けられたカバー部材４と、このカバー部材４に一端部５ａが回動可能に取り付けられると共に、その他端部５ｂ側に時計バンド２、３の厚みとほぼ同じ高さの折曲部５ｃが設けられた第１連結板５と、この第１連結板５における折曲部５ｃの他端部５ｂに回動可能に取り付けられた第２連結板６と、この第２連結板６の上面側に６時側の時計バンド３を固定する固定ピン１６および突起ピン２０とを備えているので、カバー部材４、第１連結板５、および第２連結板６を重ねたときに、カバー部材４と第１連結板５との間、および第１連結板５と第２連結板６との間にそれぞれ時計バンド２、３の各先端部２ａ、３ａ側を挟んだ状態で重ねることができる。
【００４３】
この場合には、特に第１連結板５の他端部５ｂ側に時計バンド２、３の厚みとほぼ同じ高さの折曲部５ｃが設けられているので、カバー部材４、第１連結板５、および第２連結板６を重ねたときに、第１連結板５と第２連結板６との間に６時側の時計バンド３の先端部３ａ側をほとんど変形させずに挟むことができる。このため、バンド止め具１全体の厚みを薄くすることができると共に、時計バンド２、３が急激な折曲変形をしないため、時計バンド２、３が痛まないようにすることができ、これにより時計バンド２，３の耐久性を高めることができる。
【００４４】
このため、このバンド止め具１によれば、カバー部材４に第１連結板５が１２時側の時計バンド２の一端部２ａ側を挟んで重なり、この第１連結板５に第２連結板６が６時側の時計バンド３を挟んで重なるので、従来例のような尾錠を用いたものに比べて、全体の厚みを薄くすることができるほか、カバー部材４によって第１、第２連結板５、６を覆うことができるので、従来例のように尾錠が突出して物に引っ掛かることがなく、良好に腕に取り付けて使用することができる。
【００４５】
特に、このバンド止め具１では、カバー部材４、第１連結板５、および第２連結板６を重ねた状態で、ロック部材７がカバー部材４と第２連結部材６とを係脱可能にロックするので、ワンタッチ操作で容易に時計バンド２、３を着脱することができ、これにより使い勝手の良いものを得ることができるほか、従来例のような尾錠を用いていないため、金属製のバンドに用いられる三つ折りタイプのバンド止め具と同様、簡単な構造で、部品点数も少なく、低価格なものを提供することができる。
【００４６】
また、このバンド止め具１では、第１連結板５の他端部５ｂ側に設けられた折曲部５ｃに対応する箇所に、６時側の時計バンド３の先端部３ａが挿入するバンド挿入孔１４が設けられていることにより、６時側の時計バンド３の長さが長くても、その先端部３ａを折曲部５ｃに対応する箇所のバンド挿入孔１４に挿入させることができる。このため、第１、第２連結板５、６の連結部分、つまり筒部１３、１５によって６時側の時計バンド３の先端部３ａ側がほとんど折曲変形せず、第１連結板５と第２連結板６との間に良好に挟み込むことができる。これにより、時計バンド２、３のうち、特に６時側の時計バンド３が長くても短くても、全体の厚みが厚くならずに、６時側の時計バンド３を第２連結板６に確実に且つ良好に取り付けることができる。
【００４７】
この場合、６時側の時計バンド３には、固定ピン１６およびロック部材７の突起ピン２０が挿入する複数のバンド取付孔１７が、時計バンド３の長手方向に沿って所定間隔で設けられていることにより、６時側の時計バンド３に設けられた複数のバンド取付孔１７のうち、互いに隣接する２つのバンド取付孔１７に対する固定ピン１６と突起ピン２０との挿入箇所を変更することができ、これにより時計バンド２、３全体の長さを簡単に調節することができ、これによっても使い勝手の良いものを得ることができる。
【００４８】
このときには、１２時側の時計バンド２の一端部２ａが取り付けられるカバー部材４の一端部４ａ側における両側部に設けられた複数のピン取付孔８の間隔が、６時側の時計バンド３に設けられた複数のバンド取付孔１７の各間隔よりも小さいことにより、時計バンド２の一端部２ａをカバー部材４に取り付けるばね棒９の取付位置、つまりカバー部材４に設けられた複数のピン取付孔８に対するばね棒９の取付位置を変更すると、時計バンド２、３全体の長さを微調整することができる。
【００４９】
また、このバンド止め具１では、ロック部材７が、第２連結板６の上面に設けられた突起ピン２０と、第１連結板５に設けられて突起ピン２０が挿入するピン挿入孔２１と、カバー部材４に設けられてピン挿入孔２１を通して突出した突起ピン２０の先端部２０ａの首部２０ｂを係脱可能に係止する一対の係止片２２とを備えていることにより、カバー部材４、第１連結板５、および第２連結板６が重なった状態のときに、第２連結板６の突起ピン２０の先端部２０ａおよび首部２０ｂが第１連結板５のピン挿入孔２１を通して上方に突出し、この突出した突起ピン２０の先端部２０ａの首部２０ｂをカバー部材４の一対の係止片２２で挟んで係止することができる。
【００５０】
このため、このロック部材７によれば、カバー部材４、第１連結板５、および第２連結板６を重ねた状態で、カバー部材４と第２連結板６とを簡単に且つ確実にロックすることができる。また、このロック部材７では、突起ピン２０の先端部２０ａの首部２０ｂに対する一対の係止片２２の挟み付けによる係合力に抗して、カバー部材４の他端部４ｂ、つまり第１連結板５の連結側に位置するカバー部材４の他端部４ｂを持ち上げることにより、容易に突起ピン２０に対する一対の係止片２２によるロックを解除することができる。
【００５１】
この場合、カバー部材４と第２連結板６とを係脱可能にロックするロック部材７の突起ピン２０が、固定ピン１６と共に６時側の時計バンド３に設けられた複数のバンド取付孔１７のいずれかにそれぞれ挿入するので、この突起ピン２０によっても６時側の時計バンド３を第２連結板６に取り付けることができる。このため、突起ピン２０が、カバー部材４と第２連結板６とをロックするロック機能のほかに、６時側の時計バンド３を第２連結板６に取り付けるバンド取付機能をも兼ね備えているので、これによっても部品点数を削減することができる。
【００５２】
なお、上記実施形態では、時計バンドに適用した場合について述べたが、必ずしも時計バンドである必要はなく、腕輪、あるいは衣服やバックなどのバンドにも広く適用することができる。
【図面の簡単な説明】
【００５３】
【図１】この発明を時計バンドに適用したバンド止め具を開いた状態の正面図である。
【図２】図１のＡ−Ａ矢視における断面図である。
【図３】図２のバンド止め具を閉じた状態の断面図である。
【図４】図２のバンド止め具に時計バンドを取り付けた状態の断面図である。
【図５】図４のバンド止め具を閉じた状態の断面図である。
【符号の説明】
【００５４】
１  バンド止め具
２、３  時計バンド
４  カバー部材
５  第１連結板
５ｃ  折曲部
６  第２連結板
７  ロック部材
１４  バンド挿入孔
１６  固定ピン
１７  バンド取付孔
２０  突起ピン
２１  ピン挿入孔
２２  係止片
【図１】
2007089617.tif 000003
【図２】
2007089617.tif 000004
【図３】
2007089617.tif 000005
【図４】
2007089617.tif 000006
【図５】
2007089617.tif 000007